【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
身体の下に浴槽シートを敷き、ベッド背もたれを背上げ状態にした後、側板形状がＵ字型の三面からなり一面が開口しているものであって、その開口部の両側板の開口部側先端には勾配が設けられている構成の浴槽板を、前記浴槽シートの下、身体の足裏から、両脇に至る周囲に前記開口部の両側板先端が、ベッド背もたれに密着するように押し当てて配置し、前記浴槽シートを前記浴槽板内面に接触させながら上部まで上げた後、外側に折り曲げ、前記浴槽板外面に接触させながら垂れ下げることにより浴槽機能となる、と共に前記浴槽板と前記ベッドの固定、及び前記開口部の両側板間の間隔幅の固定をベルトで行うことを特徴とする介護用半身入浴装置。
【請求項２】
浴槽板には、前記側板の両長手方向、及び幅方向に接続部を設けて、前記開口部の両側板の長さ調整、前記両側板間の間隔幅の調整できることを特徴とする請求項１に記載の介護用半身入浴装置。
【請求項３】
浴槽板の前記両側板の長手方向には、接続部を設けて、ベッドの膝上げ機能を作動させたベッド床上面の形状変形に合わせることができることを特徴とする請求項１又は２に記載の介護用半身入浴装置。
【請求項４】
浴槽板の側板面には、開口穴を適度な数、適所な位置に設けることにより、前記開口穴を利用して前記ベルト及び排水ポンプを取り付けできる固定部位としていることを特徴とする請求項１〜３のいずれか1項に記載の介護用半身入浴装置。
【請求項５】
浴槽板側板上部に湯水飛散防止用冶具を取付け、前記浴槽シートの前記側板面上部の外側に折り曲げる位置を高くすることにより、前記浴槽シートの側板上部は高くなり、湯水の飛散を防止することができることを特徴とする請求項１〜４のいずれか1項に記載の介護用半身入浴装置。
【請求項６】
前記浴槽板と前記浴槽シートとで形造られた浴槽内に、前記浴槽シート内面の両長手方向の底面より上方に立上り湯水面より高い位置で閉じ、湯水面との間に空間を設けることができるようにした、蒲鉾状の浴槽カバーを設け、湯水の飛散防止となることができることを特徴とする請求項1〜５のいずれか1項に記載の介護用半身入浴装置。  
【手続補正２】
【補正対象書類名】明細書
【補正対象項目名】全文
【補正方法】変更
【補正の内容】
【発明の詳細な説明】
【発明の名称】介護用半身入浴装置
【技術分野】
【０００１】本発明は、ベッドの上で寝たままの姿勢で、ベッドの背もたれを適度に背上げした、楽な姿勢で  安全に安心して半身入浴できるようにした、本品の浴槽板と浴槽シートからなり、排泄回りを清潔にすることを可能にした、腹まで湯水に浸かることのできる介護用半身入浴装置である。    
【背景技術】
【０００２】寝たまま患者の身体を清潔にする方法として、タオルなどによる清拭介助と、入浴介助がありますが、清拭介助では排泄回りが不十分になり不衛生になりがちである、又福祉団体などによる入浴介助では、介護者数名に来てもらい準備、入浴、片付けと時間が掛り介護者が入浴日のたびに家内に入るので、家人は室内を整理したり精神的負担になる、患者自身も移動に伴う身体の苦痛もあり負担である、さらに経済的にも負担であることより患者の入浴回数が少なくなり、体臭がしたり、特に排泄回りは不衛生になりがちである。【０００３】また各種介護用入浴装置が市販され、発明されているが、全身入浴装置が多く、使用するにあたっては患者、介護者ともに負担が多く、患者の安全上の危険などが伴なうことなどから問題が多くあり実用化が進んでいない、このことより介護者（家人）一人の簡単な軽作業で安全に、安心して短時間に患者を入浴させ、排泄回りを清潔にすることを可能にする介護用半身入浴装置が求められている。
【先行技術文献】
【特許文献】
【０００４】
【特許文献１】特開２００３−２２０１０９号公報
【特許文献２】特開２００５−１１８４９６号公報
【発明の概要】
【発明が解決しようとする課題】
【０００５】文献１、及び各種の介護用入浴装置が発明されているが、その問題点を列記する、従来から発明されている多くは、患者の身体周り全周を取り囲む構造が発明されていることより浴槽構造が大きくなったり、形状が複雑になることより高価になる、又患者の安全性を確保することが困難な構造となっている、さらに浴槽を組立、分解する作業、また浴槽内に入浴させる行為では、介護者1人で行うには困難なことより時間がかかり、患者に精神的な不安を感じさせたり肉体的な負担を与えることが予想される。【０００６】さらに、患者が全身入浴した時に浮力により身体全体が浴槽内底面より浮き上がる状態となり、身体のバランスが不安定になる、さらに患者の顔面が浴槽内に沈み込む危険性が予想される。【０００７】文献２、の問題点について述べる、水圧を支える浴槽機能として防水シートを使用しているが、水重量及び身体洗いなどにより発生する波振動などの力が防水シートに加えられることより、強靭な引張り強さのある専用の防水シートが求められる、またテープ付きに加工された専用シートを使用することより高価格になる。  【０００８】また、顔を湯水面より高くする行為として防水シートで、頭を引き上げることにしているが、頭だけを引き上げると、喉が押さえられることになり患者は苦痛になることが予想される。また、入浴中の胴体を乗せているのは防水シートの上であることより、患者が腕、背中、頭などの身体を動かした時に、防水シートが動いたりして身体のバランスが不安定になることより、患者が不安になることが予想される、さらに、テープの固定部に力が加わりテープが外れて、防水シート上の胴体がベッド上に落ちる危険性があると予想される。また、入浴する患者の顔面の高さ位置を湯水面より高くするとしても、患者が浴槽内で身体を動かしたり、洗ったりすることで湯水波が立ち、顔面が湯水を被って呼吸困難になる危険性があると予想される。【０００９】これらの問題点より、介護者は患者の傍を離れることができず、一人の介護者による行為では危険が伴うことより、安心して介護することができないことから、どうしても複数の介護者によって行わざるを得ないと予想される。【００１０】そこで本発明は、上半身をベッド背上げ状態の背もたれに乗せた、楽な姿勢で、 安全に安心して半身入浴できる、介護者一人の簡単な軽作業で、排泄回りが清潔になる、腹まで湯に浸かることのできる介護用半身入浴装置の提供することを目的としている。
【課題を解決するための手段】
【００１１】本発明に係る介護用半身入浴装置は、身体の下に浴槽シートを敷き、ベッド背もたれを背上げ状態にした後、側板形状がＵ字型の三面からなり一面が開口しているものであって、その開口部の両側板の開口部側先端には勾配が設けられている構成の浴槽板を、前記浴槽シートの下、身体の足裏から、両脇に至る周囲に前記開口部の両側板先端が、ベッド背もたれに密着するように押し当てて配置し、前記浴槽シートを前記浴槽板内面に接触させながら上部まで上げた後、外側に折り曲げ、前記浴槽板外面に接触させながら垂れ下げることにより浴槽機能となる、と共に前記浴槽板と前記ベッドの固定、及び前記開口部の両側板間の間隔幅の固定をベルトで行うようにしている。【００１２】かかる構成を有する本発明に係わる浴槽板は、プラスチックなどの硬質材で軽量に作られており、側板形状がＵ字型の三面からなり一面が開口しているだけの簡単な構成で安価に製作でき、接続部を設けて患者の体形に合わせた寸法調整、及びベッド床上面の形状変形の調整ができるので、湯水の使用量も少なくてすみ、分解して持ち運びが楽にできる、取り扱いし易く、保管も場所を取らない。また本発明により、患者はベッドに寝たままで、上半身をベッド背上げ状態の背もたれに乗せた、楽な姿勢で、安全に、安心して、排泄回りを清潔にすることができることより、介護者（家人）も一人の簡単な軽作業で、安心して患者を楽に入浴させることができるので介護行為が非常にやり易くなる。したがって、患者、介護者にとって負担の少ない安全な半身入浴装置であることから、何時でも手軽に短時間で準備、入浴できる、半身入浴より湯水の使用量が少なくてすむことから、給排水は短時間でできるので綺麗な湯水に入れ替えもできる、特に排泄回りの尻洗いなども浮力により身体が軽くなるので身体を少し横向き姿勢にして作られる尻空間を手洗いすることができるので、左右行うことにより清潔になることから患者の入浴回数も増え、患者の体臭も無くなり精神的な負担が和らぎ健康を保てる、又介護者も患者が清潔になり体臭など気にしなくて日常介護を快適に施すことができる。【００１３】また、本発明に係る介護用半身入浴装置は、浴槽板には、前記側板の両長手方向、及び幅方向に接続部を設けて、前記開口部の両側板の長さ調整、前記両側板間の間隔幅の調整できる構成にするようにしてもよい。【００１４】かかる構成により、前記側板に接続部を設けて長さ調整できることより、患者の体形に合わせることができる、また、湯水の使用量も少なくてすむので入浴時間も短縮できる。【００１５】また、本発明に係る介護用半身入浴装置は、浴槽板の前記両側板の長手方向には、接続部を設けて、ベッドの膝上げ機能を作動させたベッド床上面の形状変形に合わせることができる構成にするようにしてもよい。【００１６】かかる構成より、前記接続部で、ベッドの膝上げ作動などの機能を備えたベッドの各種類のタイプにも使用できる。【００１７】また、本発明に係る介護用半身入浴装置は、浴槽板の側板面には、開口穴を適度な数、適所な位置に設けることにより、前記開口穴を利用して前記ベルト及び排水ポンプを取り付けできる固定部位としている構成にするようにしてもよい。【００１８】また、本発明に係る介護用半身入浴装置は、浴槽板側板上部に湯水飛散防止用冶具を取付け、前記浴槽シートの前記側板面上部の外側に折り曲げる位置を高くすることにより、前記浴槽シートの側板上部は高くなり、湯水の飛散を防止することができる構成にしてもよい。【００１９】また、本発明に係る介護用半身入浴装置は、前記浴槽板と前記浴槽シートとで形造られた浴槽内に、前記浴槽シート内面の両長手方向の底面より上方に立上り湯水面より高い位置で閉じ、湯水面との間に空間を設けることができるようにした、蒲鉾状の浴槽カバーを設け、湯水の飛散防止となることができる構成にしてもよい。【００２０】かかる構成により湯水面は浴槽カバーに覆われているので湯水飛散防止できることより、身体洗いも湯水の飛散を気にせずにできる、また、湯水温度の保持、及び身体温度の保温することもできる、さらに室内への湯気の発生を少なくできる、また、患者の下半身の目隠しにもなり羞恥心を和らげることになる。
【発明の効果】
【００２１】上記のように構成する本発明は、プラスチックなどの硬質材で軽量に作られており、側板形状がＵ字型の三面からなり一面が開口しているだけの簡単な構成で安価に製作でき、接続部を設けて患者の体形に合わせた寸法調整、及びベッド床上面の形状変形の調整ができるので、湯水の使用量も少なくてすみ、分解して持ち運びが楽にできる、取り扱いし易く、保管も場所を取らない。また本発明により、患者はベッドに寝たままで、上半身をベッド背上げ状態の背もたれに乗せた、楽な姿勢で、安全に、安心して、排泄回りを清潔にすることができることより、介護者（家人）も一人の簡単な軽作業で、安心して患者を楽に入浴させることができるので介護行為が非常にやり易くなる。したがって、患者、介護者にとって負担の少ない安全な半身入浴装置であることから、何時でも手軽に短時間で準備、入浴できる、半身入浴より湯水の使用量が少なくてすむことから、給排水は短時間でできるので綺麗な湯水に入れ替えもできる、特に排泄回りの尻洗いなども浮力により身体が軽くなるので身体を少し横向き姿勢にして作られる尻空間を手洗いすることができるので、左右行うことにより清潔になることから患者の入浴回数も増え、患者の体臭も無くなり精神的な負担が和らぎ健康を保てる、又介護者も患者が清潔になり体臭など気にしなくて日常介護を快適に施すことができる。【００２２】また、本品は、従来の全身入浴装置と違い、半身入浴装置であるが、湯水を胸、肩などに流し掛けることにより、上半身を洗うこともできる、あるいは、上半身を清拭することも行い易いことより、結果的に上半身を洗うことに等しくなり、血行がよくなることより新陳代謝の促進にもなる。患者、介護者にとって最適な半身入浴装置であると考える。
【図面の簡単な説明】
【００２３】
【図１】浴槽板の側板形状がＵ字型の三面からなり一面が開口している、開口部の両側板先端には勾配を設けている、又接続部が設けていることを示す浴槽板の斜視図。
【図２】浴槽板の側板の接続部、開口穴、湾曲補強部、及び側板先端の勾配形状を示す側面図。
【図３】半身入浴姿を示す平面図。
【図４】浴槽シート敷きを示す左側面図。
【図５】ベッド背もたれの背上げ状態を示す正面図。
【図６】浴槽板とベッド背もたれ部との状態を示す正面図。
【図７】浴槽板内面を浴槽シートが覆い浴槽機能となることを示す正面図。
【図８】浴槽板開口部の両側板間の間隔幅の固定状態を示す右側面図。
【図９】浴槽板とベッドの固定状態を示す平面図。
【図１０】浴槽板と湯水飛散防止冶具、浴槽カバーの状態を示す正面図。
【図１１】浴槽板と湯水飛散防止冶具、浴槽カバーの状態を示す右側面図。
【図１２】排水時の排水ポンプ使用状態を示す右側面図。
【発明を実施するための形態】
【００２４】本発明の実施に係わる介護用半身入浴装置は、上半身をベッド背上げ状態の背もたれに乗せた、楽な姿勢で、 安全に安心して半身入浴できる、介護者一人の簡単な軽作業で、排泄回りを清潔にすることを可能にした、腹まで湯に浸かることのできる介護用半身入浴装置となるように構成したものである。
【００２５】かかる構成の入浴装置は、患者がベッド上の仰向け状態で、一枚の浴槽シートをシーツ交換要領で身体の下に敷き、患者の上半身を乗せているベッド背もたれを背上げ状態にする。次に、側板形状がＵ字型の三面からなり一面が開口しているものであって、その開口部の両側板は左右対称になる位置にあり、その両側板の開口部側先端には勾配が設けられている構成の浴槽板を浴槽シートの下、患者の足裏から、両脇に至る周囲に開口部の両側板先端がベッド背もたれに密着するように押し当てて配置する。続いて患者の身体下に敷かれている浴槽シートを浴槽板内面に接触させながら上部まで上げた後、外側に折り曲げ外面に接触させながら垂れ下げることにより周囲が囲まれた形状の浴槽機能となり半身入浴を可能としている。
【実施例】
【００２６】本発明は浴槽板１０と浴槽シート６からなる半身入浴装置である、はじめに、図４に示すように、ベッド上で寝たままの患者の下に、柔軟性と防水性を有するビニールシート等からなる浴槽シート６をシーツ交換要領で敷き、患者を中心位置にして身体周りの浴槽シート６を身体の上に寄せ集める、続いて、図５に示すように、上半身を乗せているベッドの背もたれ部８を適度な勾配の背上げ状態にする。【００２７】次に、図１に示すように、プラスチック等の硬質材で軽量に作られている、側板形状１がＵ字型の三面からなり一面が開口しているものであって、その開口部９の両側板１は左右対称になる位置にあり、その前記両側板１の開口部側先端には勾配２が設けられている構成の浴槽板１０を、図６に示すように、浴槽シート６の下、すなわちベッド上の患者の足裏から両脇に至る周囲に、浴槽板開口部９の両側板先端２がベッド背もたれ８に密着するように押し当てて配置する。【００２８】続いて、図７に示すように、患者の身体の上に寄せ集められている前記浴槽シート６を、浴槽板内側の板面に接触させながら下部から上部に上げた後、外側に折り曲げ、外側の板面に接触させながら下げて垂れ下げる。これにより浴槽板１０とベッドの背上げ部８とが蜜着状態になっていることより周囲が囲まれた形状となり、その内面を浴槽シート６が覆うことにより浴槽機能となる。【００２９】次に、図８に示すように、浴槽板開口部９の前記両側板間の間隔幅が、水圧などにより広がらないように  前記両側板面の前記開口穴４を固定部位として、ベルト１１等を使用して前記両側板１及び前記浴槽シート６の下を通して取付け、間隔幅を固定する。続いて、図９に示すように、浴槽板１０がベッド上で移動しないように、前記両側板面の前記開口穴４を固定部位として、ベルト１２等を使用しで前記開口穴４に取付けて、浴槽板１０とベッド７を結束して固定できるようにする。【００３０】また、図１０及び図１１、に示すように、浴槽板側板１の上部に湯水飛散防止用冶具１３を取付け、前記浴槽シート６の前記側板面上部の外側に折り曲げる位置を高くすることにより、前記浴槽シート６の側板上部は高くなり、湯水の飛散を防止することができるようにする。さらに、浴槽カバー１４として、浴槽板１０で形造られた浴槽内長手方向の前記両側板１の前記浴槽シート６内面に接する底面より、浴槽カバー１４の両端を立上げ、湯水面より高くなる位置を上面となるようにして、浴槽カバー１４内側の湯水面とのあいだに、空間を設けることができるようにしたことより、湯水面は浴槽カバー１４に覆われているので湯水の飛散を防止できることより、身体洗いも湯水飛散を気にせずに行える、また、湯水温度の保持、及び身体温度の保温することもできる。さらに、室内への湯気の発生を少なくできる、また、患者の下半身の目隠しにもなり羞恥心を和らげることになる、あわせて、ベッド背もたれ８に乗せている上半身には、衣類や、バスタオルなどで覆い保温することができる。【００３１】次に、注水は、半身入浴のため湯水量（３０〜５０リットル）は、少なくてすむことより、ポリエチレンタンクに必要量を予め準備し、ベッド横に置いて使用することにより短時間で注水できるように���る。また、排水は、図１２に示すように、大型タイプの排水ポンプ１５を二台ほど使用して短時間でポリエチレンタンク１６等に排水する、この排水用に使用する排水ポンプ１５は、浴槽板側板１の開口穴４を固定部位として利用し、固定できるので介護者は、排水時も他の介護行為を楽に行うことができる。【００３２】次に、身体洗いは、半身入浴より湯水の使用量が少ないことから給排水は短時間で行えるので、綺麗な湯水に入れ替えできる、特に排泄回りの尻洗いなども浮力により身体が軽くなるので身体を少し横向き姿勢にして作られる尻空間を手洗いすることができるので左右行うことにより清潔になる。また、本品は半身入浴装置であるが、湯水を胸、肩などに流し掛けることにより、上半身を洗うこともできる、あるいは、血行がよくなることより新陳代謝の促進にもなる。上半身を清拭することも行い易いことより、結果的に上半身を洗うことに等しくなる。【００３３】続いて、入浴後の身体拭き及び残水拭きは、身体の横向きを繰り返しながら大型タオル等で、身体布拭きすることにより短時間で行えるようにする。また、使用後の清掃は  患者の肌に接する、前記浴槽シート６のみの清掃ですむことより、市販品の一枚シートを使用できるので清掃は簡単にできる、又安価である。  【００３４】以上説明した本発明に係わる実施例において、図２に示すように、浴槽板１０には、前記側板１の両長手方向、及び幅方向に接続部３を設けて、前記開口部９の両側板１の長さ調整、及び前記両側板間の間隔幅の調整できることにより、患者の体形に合わせることができる、また、湯水の使用量も少なくてすむので入浴時間も短縮できる。なお、入浴前の準備として、浴槽板１０の使用前に、接続部３で予め患者の体形に合わせた寸法調整することにより、使用する時はベッドの上に置くだけの形状となり、入浴作業を短時間で行える。【００３５】また、浴槽板１０の前記両側板１の長手方向には、接続部３を設けて、長さ調整に加えベッド床上面の形状変形に合わせることができることより、ベッドの膝上げ作動などの機能を備えたベッドの各種類のタイプにも使用できる。また、ベッド床上面の形状変形による隙間ある場合は  ベッド上にバスタオル１７等を浴槽板１０の下に厚めに敷くことにより、浴槽板１０はベッド面との隙間が無くなり、実質的に表面の変形を無くすことと等しくなるので何ら問題ない。また同様に、ベッドの背もたれの勾配と両側板先端の勾配２が密着せずに、隙間がある場合は、背もたれの隙間の上にバスタオル１７等を厚めに敷くことにより、実質的に隙間を無くすことができるので何ら問題ない。【００３６】また図２に示すように、浴槽板１０の側板面１には、浴槽機能の強度を損なわない適度な大きさの開口穴４を適度な数、適所な位置に設けることにより、前記開口穴４を利用して各種固定具を取り付けできる固定部位としている。また、浴槽板１０の前記側板面１には、浴槽機能の強度を損なわない適度な大きさの開口穴４を有する、網板状の側板面にすることにより、重量が軽くなることから持ち運びが楽になる、また製作材料も少なくなることから製作費は安価になる。また  浴槽板１０の側板１には、長手方向に屈曲しないように、長手方向の上部に適度な��曲形状５を設けて補強していることより、水圧などによる力が加わったとしても長手方向に曲がることのないようにしている。【００３７】また、前記浴槽シート６は、一枚の浴槽シートに限定されるものでなく、前記浴槽シート６の上に  薄く柔らかい肌用シートを重ねて、実質的には一枚のシートとして取込み、使用することにより患者の肌に柔らかく接して心地よくするのも良い。【００３８】また、家庭などで通常使用する場合は、一度、接続部３で患者の体形に合わせ分解せずに、その状態で毎回使用できることより便利である。また、施設などで使用する場合、浴槽板１０は、接続部３で  患者の体形に合わせて使用することができることから  複数のサイズを揃えることを必要としないことから経済的である、なを、布団の利用者でも頭、背中部の布団の下に物を詰めて布団の背中部を少し高くし、背もたれ状態にすれば前記浴槽板１０を使用して半身入浴することができる。【００３９】以上、実施例の説明より、この考案は、従来の全身入浴装置と違い、半身入浴装置であるが、湯水を胸、肩などに流し掛けることにより、上半身を洗うこともできる、あるいは、上半身を清拭することも行い易いことより、結果的に上半身を洗うことに等しくなり、血行がよくなることより新陳代謝の促進にもなる。患者、介護者にとって最適な半身入浴装置であると考えられる。しかるに、本発明は、今日求められていることの、介護者（家人）一人の簡単な軽作業で安全に、安心して、短時間で患者を入浴させ、排泄回りを清潔にすることを可能にする介護用半身入浴装置を提供できるものと考えられることより、一人では入浴が困難な患者の居る、一般家庭、施設で広く利用されると考えられる。
【産業上の利用可能性】
【００４０】この発明により、本品の浴槽板は簡単な構成により安価にできる、患者はベッドに寝たままで、上半身をベッド背上げ状態の背もたれに乗せた、楽な姿勢で、安全に、安心して、入浴することができる。介護者（家人）一人の簡単な軽作業で半身入浴を行えることから、一人では入浴が困難な患者の居る、一般家庭、施設で広く利用されると考えられる。
【符号の説明】
【００４１】    １  浴槽板の側板２  浴槽板の側板先端の勾配３  浴槽板の側板の接続部４  浴槽板の側板の開口穴５  浴槽板の側板上部の湾曲補強部６  浴槽シート７  ベッド８  ベッド背もたれ部の背上げ状態９  浴槽板の両側板間の開口部１０  浴槽板１１  浴槽板の両側板間の間隔幅固定用ベルト１２  浴槽板とベッドの固定用ベルト１３  浴槽板の側板上部の湯水飛散防止冶具１４  浴槽カバー１５  排水ポンプ１６  ポリエチレンタンク１７  バスタオル 
【手続補正３】
【補正対象書類名】図面
【補正対象項目名】図１０
【補正方法】変更
【補正の内容】
【図１０】
2012035049.tif 000001